(57)【要約】【課題】画像の切り換えを容易に行えるようにする。【解決手段】読み出された画像データに基づく画像を全体画像として、投写したときに、その全体画像の一部分の画像（部分画像）の投写が指示されると、まず、投写が指示された部分画像の画像データが取得される。その画像データによる部分画像の投写が行われる。その後、ユーザにより他の部分画像の投写が指示されると、その部分画像に対して、同様の処理が実行される。この他の部分の投写の指示は、例えば、トラックパッド上を指でなぞるなどにより行われる。そのなぞられた方向と移動量により、移動先の部分画像の領域が決定される。本発明は、画像を投写するプロジェクタに適用することが可能である。【選択図】      図５
2004212817.tif 000002
【特許請求の範囲】
【請求項１】
ユーザからの指示を検出する検出手段と、
前記検出手段に検出された前記指示に基づき、画像から所定の領域内の画像データを取得する取得手段と、
前記取得手段により取得された前記画像データに基づく画像を投写する投写手段と
を備えることを特徴とする画像処理装置。
【請求項２】
前記取得手段は、前記検出手段により検出された前記指示に基づいて位置を移動したエリア内の画像データを取得する
ことを特徴とする請求項１に記載の画像処理装置。
【請求項３】
前記取得手段は、前記検出手段により検出された前記指示に基づいて大きさを変えたエリア内の画像データを取得し、
前記投写手段は、前記取得手段により取得された前記画像データに基づく画像を拡大または縮小して投写する
ことを特徴とする請求項１に記載の画像処理装置。
【請求項４】
前記検出手段は、前記投写手段により投写されている前記画像上に位置する前記ユーザの手の動きを検出し、その動きをユーザからの指示とする
ことを特徴とする請求項１に記載の画像処理装置。
【請求項５】
前記検出手段は、トラックパッド、ジョイスティック、トラックボール、または、複数のボタンから構成される
ことを特徴とする請求項１に記載の画像処理装置。
【請求項６】
携帯可能に構成されている
ことを特徴とする請求項１に記載の画像処理装置。
【請求項７】
画像を投写する投写手段を備える画像処理装置の画像処理方法において、
ユーザからの指示を検出する検出ステップと、
前記検出ステップの処理で検出された前記指示に基づき、画像から所定の領域内の画像データを取得する取得ステップと、
前記取得ステップの処理で取得された前記画像データに基づく画像を投写する前記投写手段を制御する投写制御ステップと
を含むことを特徴とする画像処理方法。
【請求項８】
画像を投写する投写手段を備える画像処理装置のプログラムであって、
ユーザからの指示を検出する検出ステップと、
前記検出ステップの処理で検出された前記指示に基づき、画像から所定の領域内の画像データを取得する取得ステップと、
前記取得ステップの処理で取得された前記画像データに基づく画像を投写する前記投写手段を制御する投写制御ステップと
を含むことを特徴とするコンピュータが読み取り可能なプログラムが記録されている記録媒体。
【請求項９】
画像を投写する投写手段を備える画像処理装置を制御するコンピュータに実行させるプログラムにおいて
ユーザからの指示を検出する検出ステップと、
前記検出ステップの処理で検出された前記指示に基づき、画像から所定の領域内の画像データを取得する取得ステップと、
前記取得ステップの処理で取得された前記画像データに基づく画像を投写する前記投写手段を制御する投写制御ステップと
を含むことを特徴とするプログラム。
【発明の詳細な説明】
【０００１】
【発明の属する技術分野】
本発明は画像処理装置および方法、記録媒体、並びにプログラムに関し、特に、携帯型で、スクリーンなどに画像を投写し、その投写された画像を変化させるような画像処理装置および方法、記録媒体、並びにプログラムに関する。
【０００２】
【従来の技術】
スクリーンなどに画像を投写することにより、大画像をユーザに提供するプロジェクタなどと称される装置が普及しつつある。プロジェクタは、一般の家庭内で、テレビジョン放送により放送されている番組や、ビデオテープレコーダにより再生されている映画などを、大画面で写し出すといった用途に用いられるだけでなく、会社での会議などで、その会議の資料を複数のユーザで同時に閲覧できるようにするときなどにも用いられている。
【０００３】
【発明が解決しようとする課題】
プロジェクタ自体は、投写が指示された画像を投写するだけで、その１画像のうちの一部分の画像を投写するということ、換言すれば、拡大や縮小といった投写と同等の投写を行うことはできないった課題があった。
【０００４】
本発明はこのような状況に鑑みてなされたものであり、携帯型のプロジェクタで、そのプロジェクタを携帯しているユーザと、そのプロジェクタからの画像を閲覧しているユーザとのうち、少なくとも一方のユーザが、投写されている画像に対して所定の操作が行えるようにすることを目的とする。
【０００５】
【課題を解決するための手段】
本発明の画像処理装置は、ユーザからの指示を検出する検出手段と、検出手段に検出された指示に基づき、画像から所定の領域内の画像データを取得する取得手段と、取得手段により取得された画像データに基づく画像を投写する投写手段とを備えることを特徴とする。
【０００６】
前記取得手段は、検出手段により検出された指示に基づいて位置を移動したエリア内の画像データを取得するようにすることができる。
【０００７】
前記取得手段は、検出手段により検出された指示に基づいて大きさを変えたエリア内の画像データを取得し、投写手段は、取得手段により取得された画像データに基づく画像を拡大または縮小して投写するようにすることができる。
【０００８】
前記検出手段は、投写手段により投写されている画像上に位置するユーザの手の動きを検出し、その動きをユーザからの指示とするようにすることができる。
【０００９】
前記検出手段は、トラックパッド、ジョイスティック、トラックボール、または、複数のボタンから構成されるようにすることができる。
【００１０】
携帯可能に構成されているようにすることができる。
【００１１】
本発明の画像処理方法は、画像を投写する投写手段を備える画像処理装置の画像処理方法であって、ユーザからの指示を検出する検出ステップと、検出ステップの処理で検出された指示に基づき、画像から所定の領域内の画像データを取得する取得ステップと、取得ステップの処理で取得された画像データに基づく画像を投写する投写手段を制御する投写制御ステップとを含むことを特徴とする。
【００１２】
本発明の記録媒体のプログラムは、画像を投写する投写手段を備える画像処理装置のプログラムであって、ユーザからの指示を検出する検出ステップと、検出ステップの処理で検出された指示に基づき、画像から所定の領域内の画像データを取得する取得ステップと、取得ステップの処理で取得された画像データに基づく画像を投写する投写手段を制御する投写制御ステップとを含むことを特徴とする。
【００１３】
本発明のプログラムは、画像を投写する投写手段を備える画像処理装置を制御するコンピュータに実行させるプログラムにおいてユーザからの指示を検出する検出ステップと、検出ステップの処理で検出された指示に基づき、画像から所定の領域内の画像データを取得する取得ステップと、取得ステップの処理で取得された画像データに基づく画像を投写する投写手段を制御する投写制御ステップとを含むことを特徴とする。
【００１４】
本発明においては、画像の全体または一部分が投写され、その投写されている画像が、他の部分の画像に切り換えられる。
【００１５】
【発明の実施の形態】
以下に、本発明の実施の形態について図面を参照して説明する。図１は、本発明を適用した画像処理装置の一実施の形態の外観の構成を示す図である。画像処理装置１０は、画像をスクリーンなどに投写する投写手段としての投写部１１と、投写された画像に対して、所定の操作を行うときに操作される操作部１２を備えている。操作部１２は、ユーザからの指示を検出する検出手段としての機能も有する。
【００１６】
図２に示すように、画像処理装置１０は、ユーザが携帯可能な大きさ、重さに構成されている。ユーザは、図２に示したように、画像処理装置１０を保持し、その状態で、図３に示すように、スクリーンや壁などに投写部１１を向けることにより、画像を投写させることができる。
【００１７】
また、画像処理装置１０は、図２に示したようにしてユーザに保持されている状態のとき、ユーザが、保持している手の親指などで、簡便に操作部１２を操作できるような構成とされている。
【００１８】
操作部１２は、図１に示したようなトラックパッドにより構成することも可能であるし、後述する操作を実行できるような配置の複数のボタンで構成されるようにしても良い。すなわち、操作部１２は、ユーザからの指示を検出できるような構成とされ、その検出された指示を、他の部分に供給するような機能を有している。ここでは、まず、図１に示したように、トラックパッドの形状の操作部１２を備える画像処理装置１０を用いた場合を例に挙げて説明する。
【００１９】
図４は、画像処理装置１０の内部構成例を示す図である。画像処理装置１０は、記憶部３１を備える。この記憶部３１は、画像処理装置１０に対して着脱自在な、例えば、メモリースティック（商標）のような記録媒体でも良いし、内蔵されているハードディスクドライブでも良い。画像処理装置１０に対して、着脱自在な記録媒体を、記憶部３１として備えるようにした場合、その記録媒体を着脱するためのスロット（不図示）などが、画像処理装置１０に設けられる。勿論、着脱自在の記録媒体と、内蔵型の記録媒体を併用するようにしても良い。
【００２０】
記憶部３１で記憶されている画像データは、必要に応じ、画像データ展開部３２に読み出され、展開される。画像データ展開部３２で展開された画像の画像データうち、後段の処理で必要とされる画像（投写が指示された画像）に対応する画像データのみが、画像データ供給部３３により読み出される。画像データ供給部３３は、画像データ展開部３２から所定の領域内の画像データを取得する取得手段として設けられている。これらの必要に応じて行われる画像データの授受などの処理は、制御部３４の制御のもと行われる。
【００２１】
制御部３４は、操作部１２におけるユーザの操作を判断し、その判断に基づき、画像データ展開部３２に、記憶部３１から画像データを読み出させたり、表示制御部３５に、画像データ供給部３３が画像データ展開部３２から読み出す画像データに関する指示を出す。
【００２２】
画像データ供給部３３からの画像データの供給は、投写部１１の一部を構成するＤ／Ａ（Ｄｉｇｉｔａｌ／Ａｎａｌｏｇ）変換部４１により、デジタルデータからアナログデータに変換される。変換されたアナログデータの画像データは、ＬＣＤ（ＬｉｑｕｉｄＣｒｙｓｔａｌ  Ｄｉｓｐｌａｙ）ドライブ４２に供給される。ＬＣＤドライブ４２は、供給された画像データに基づき、ＬＣＤ４３を駆動するために設けられている。
【００２３】
ＬＣＤ４３には、ＬＣＤドライブ４２の制御により、画像データによる画像が写し出される。その写し出されている画像が、ＬＣＤ４３の背面に配置されたバックライト４６からの光で照らされ、その結果、画像が、レンズ４４を介して画像処理装置１０の外部に出力（投写）される。レンズ４４を介することにより、ＬＣＤ４３による画像は拡大されて投写される。
【００２４】
バックライト４６は、バックドライブ４５の制御のもと駆動される。また、ＬＣＤドライブ４２とバックライト４５は、それぞれ、表示制御部３５により制御される。
【００２５】
このような内部構成を有する画像処理装置１０の動作について、図５のフローチャートを参照して説明する。ステップＳ１１において、画像データの読み込みが行われる。この読み込みは、画像処理装置１０の電源がオンにされたときに行われ、制御部３４が、画像データ展開部３２に指示を出すことにより、画像データ展開部３２が、記憶部３２から画像データを読み出すことにより行われる。
【００２６】
電源がオンにされた時点で、デフォルトとして、記憶部３１に記憶されている画像の内の１枚の画像の画像データが読み出されるようにしても良いし、ユーザの指定により所定の１枚の画像の画像データが読み出されるようにしても良い。
【００２７】
ステップＳ１１において記憶部３１から読み出された画像データは、ステップＳ３２において、画像データ展開部３２に供給される。画像データ展開部３２は、供給された画像データに基づく画像を、例えば、図示されていないメモリ上に展開する。このような画像の展開を行うためのメモリを、画像データ展開部３２は備えているとして、以下の説明を行う。
【００２８】
画像データ展開部３２において展開された画像のうち、表示制御部３５の指示に基づく画像に対する画像データは、画像データ供給部３３に供給される。この際、制御部３４は、電源がオンにされ、新たな画像を投写させるための処理が開始されたと判断し、その判断に基づき、表示制御部３５に対して、画像データ展開部３２に展開されている画像の全てを画像に関する画像データを読み出すように指示を出す。また、制御部３５は、このような指示を出すとともに、電源がオンにされたということも、表示制御部３５に知らせる。
【００２９】
表示制御部３５は、電源がオンにされたという情報を取得したとき、ＬＣＤドライブ４２と、バックライトドライブ４５に対して、それぞれ、ＬＣＤ４３とバックライト４６の駆動の制御を開始するように指示を出す。また、表示制御部３５は、画像データ供給部３３に対して、画像データ展開部３２に展開されている画像の画像データを、全て読み出すように指示を出す。
【００３０】
画像データ供給部３３は、画像データ展開部３２から読み出した画像データを、Ｄ／Ａ変換部４１に供給する。Ｄ／Ａ変換部４１に供給される画像データは、デジタルデータであり、Ｄ／Ａ変換部４２は、供給されたデジタルデータとしての画像データをアナログデータとしての画像データに変換してＬＣＤドライブ４２に供給する。
【００３１】
ＬＣＤドライブ４２が、供給された画像データに基づく制御を行うことで、ＬＣＤ４３に画像が写し出される。このＬＣＤ４３上の画像が、バックライト４６からの光により、レンズ４４を介して、画像処理装置１０の投写部１１が向けられている方向の、例えば、スクリーン上に投写される（以下、スクリーン上に投写されるとして説明する）。レンズ４４を介することにより、ＬＣＤ４３の画像は、拡大されてスクリーン上に投写されるが、その画像の大きさは、画像処理装置１０と、スクリーンまでの距離に依存する。
【００３２】
このスクリーン上に表示される画像の一例を図６に示す。図６に示した例では、複数の人の画像Ａが、スクリーン７１上に表示されている状態を示している。図６に示した画像Ａは、適宜、全体画像と称する。また、以下の説明においては、全体画像の一部分の画像を、部分画像と、適宜称する。なお、以下の説明において、全体画像と部分画像が、それぞれ投写された際の画像の大きさは、同一であるとして説明する。すなわち、例えば、全体画像が部分画像に切り換えられることにより、投写されている画像自体が小さくなるといったようなことはない。
【００３３】
このような画像Ａが、スクリーン７１上に表示されるまでの処理が、ステップＳ１２において行われると、制御部３４は、ステップＳ１３において、終了が指示されたか否かを判断する。終了は、電源がオフにされることにより行われる。図示はしていないが、電源のオン、オフを行うためのスイッチが、画像処理装置１０には設けられており、そのスイッチが操作されることにより、電源のオン、オフが指示される。または、操作部１２の中心部が、例えば、３回押下されると、スイッチのオンまたはオフを指示できるといった機能を有するようにしても良い。
【００３４】
いずれの仕組みを設けるようにしても良いが、ステップＳ１３において、制御部３４は、終了の指示があったか否かを判断し、終了が指示されたと判断した場合、図５に示した画像の投写に関わるフローチャートの処理を終了させる。一方、ステップＳ１３において、制御部３４が、終了は指示されていないと判断した場合、ステップＳ１４に処理が進められる。
【００３５】
ステップＳ１４において、部分画像の表示の指示があったか否かが判断される。部分画像の表示の指示はないと判断された場合、ステップＳ１３に戻り、それ以降の処理が繰り返され、部分画像の表示の指示があったと判断された場合、ステップＳ１５に進む。
【００３６】
ステップＳ１５において、制御部３４は、全体画像の中心位置を検出し、その検出した中心位置を、表示対象範囲の中心位置として設定する。この表示対象範囲とは、この場合、部分画像のことであり、ステップＳ１５の処理においては、この部分画像の中心位置を設定する処理を行う。このような処理が行われるのは、この実施の形態においては、部分画像の表示が指示されたとき、デフォルトとして、全体画像の中心位置に位置する部分の所定の大きさの領域内を部分画像として設定されている場合を例に挙げて説明するからである。
【００３７】
従って、仮に、部分画像の表示の指示が出されたときに、デフォルトとして、全体画像の左上の所定の大きさの領域内を、部分画像として表示する画像とすると設定されているような場合、ステップＳ１５においては、全体画像の左上の部分で、所定の大きさの領域が検出され、その検出された領域内の中心位置が部分画像の中心位置として設定される処理が実行される。
【００３８】
ここでは、部分画像の表示の指示が出されたときは、デフォルトとして、全体画像の中心の部分が、部分画像として設定されるとして説明するが、そのようなデフォルトとして表示される部分画像の設定は、どのように設定されていても良いし、ユーザが設定できるようにしても良い。
【００３９】
また、所定の大きさの領域とは、例えば、６４０×４８０ピクセルなどの大きさを有する領域である。この大きさも、ユーザが設定できるようにしても良いし、全体画像の大きさに依存する大きさの領域であるとして、全体画像の大きさを基に設定されるような仕組みを設けても良い。
【００４０】
ステップ１５において、部分画像として表示する全体画像内の位置と、その部分画像の大きさが決定されると、ステップＳ１６において、決定された位置と、領域に対応する画像データが読み出され、その読み出された画像データにも基づく画像が、投写される。このステップＳ１６において行われる部分画像の投写は、ステップＳ１２における全体画像の投写と同様に行われるため、その説明は省略する。
【００４１】
ステップＳ１６の処理により、スクリーン７１に表示される画像の一例を、図７に示す。図７に示した画像例は、図６に示した画像Ａの中心部分のみが表示されている状態である。ステップＳ１６の処理が行われることにより、部分画像が、表示されると、ステップＳ１７において、表示させる部分画像の移動が指示されたか否かが判断される。
【００４２】
この判断は、制御部３４が、操作部１２が操作されたか否かを常に監視しており、その監視の結果が用いられて行われる。ユーザは、表示されている部分画像を他の部分の部分画像に変更したい場合、操作部１２を操作する。具体的には、操作部１２が、図１に示したようなトラックパッドで構成されている場合、ユーザは、表示させたい部分画像が位置する方向に、操作部１２を指でなぞることにより操作を行う。
【００４３】
この場合、図７に示したように、全体画像内の中央部分に位置する部分画像が、スクリーン７１に投写されている状態であるが、この状態を、イメージ的に示すと、図８の上側の図のようになる。すなわち、全体画像１０１（図６においては画像Ａに相当する）の内の中央部分に位置する部分画像１０２が投写されている状態である。このような部分画像１０２が投写されている状態で、ユーザが、図８の下側の図に示すような、全体画像１０１の左上側に位置する部分画像１０３を投写させたい場合、図９に示すように、操作部１２を左上側に指でなぞることにより、その指示を出す。
【００４４】
このような指示が出されることにより、投写されている部分画像は、図１０に示すようになる。ここで、このような投写させる部分画像の移動に関するユーザが行う操作について説明する。図９を参照して説明したように、ユーザは、トラックパッドで構成されている操作部１２を操作することにより、部分画像の移動の指示を出すわけであるが、その指示に対応して制御部３４は、移動先を決定する際の処理として、移動量（投写が指示された部分画像が、その時点で投写されている部分画像から、どれだけ移動させた位置に位置するのか）を判断する必要がある。
【００４５】
その移動量の算出は、投写されている部分画像と、移動先の部分画像との位置関係に相対関係を持たせることにより行われるか、又は、全体画像と部分画像との位置関係に相対関係を持たせることにより行われる。部分画像同士の位置関係に基づく移動量を算出する場合、ユーザが操作部１２上を指でなぞった距離を、全体画像上では、どれだけ移動したことになるかを換算し、その換算された値の量だけ、部分画像が移動するように、移動量を算出する。
【００４６】
例えば、ユーザにより操作部１２が１ｃｍだけなぞられた場合、全体画像内で、１００ピクセル分だけ移動させるというように設定しておき、実際に１ｃｍだけなぞられたときには、その時点で投写されている部分画像の中心位置から、１００ピクセル分だけ移動させた先が中心位置となる部分画像が、移動先の部分画像と決定される。その移動方向は、ユーザにより操作部１２がなぞられた方向に一致される。
【００４７】
全体画像と部分画像との位置関係に基づき移動量が算出される場合、例えば、全体画像の大きさが、操作部１２の操作可能範囲の大きさと一致している（対応している）として設定され、かつ、全体画像の中心位置と、操作部１２の中心位置が一致しているとして設定されているとして、移動量の算出を行うようにする。
【００４８】
そのように設定されている操作部１２の一部分を、例えば、ユーザが押下することにより、移動先を指示するようにしても良い。ユーザが操作部１２を押下した部分が、図８の下側の図に対応する部分であった場合、その部分に対応する画像が、部分画像として投写される。この場合、制御部３４は、操作部１２の操作（押下）された位置を検出し、その検出された位置の全体画像内での位置を把握し、その結果から、部分画像の位置を決定するようにすれば良い。
【００４９】
いずれの方法を用いても良いが、ステップＳ１７（図５）において、制御部３４が、移動の指示があったと判断した場合、ステップＳ１５に戻り、それ以降の処理が繰り返される。この場合、上述したようにな方法に基づき、移動先の部分画像が決定され、その決定に基づく移動先の部分画像に対して、ステップＳ１５以降の処理が同様に行われる。
【００５０】
一方、ステップＳ１７において、移動の指示は出されていないと判断された場合、ステップＳ１８に進み、部分画像の投写の終了が指示されたか否かが判断される。この判断は、ステップＳ１４において、部分画像の投写の開始が指示されたか否かを判断するときと同様に行われる。
【００５１】
ステップＳ１８において、制御部３４が、部分画像の投写の終了は、指示されていないと判断した場合、ステップＳ１７に戻り、それ以降の処理が繰り返される。すなわち、部分画像の投写の維持と、部分画像の移動の処理が行われる。一方、ステップＳ１８において、部分画像の投写の終了が指示されたと判断された場合、ステップＳ１２に戻り、それ以降の処理が繰り返される。すなわち、投写される画像が部分画像から全体画像に切り換えられ、その全体画像に対する処理が、繰り返される。
【００５２】
ステップＳ１５乃至Ｓ１８の処理が繰り返されることにより、スクリーン７１上に投写される部分画像について説明する。まず、図１０に示した部分画像が投写されている状態、すなわち、イメージ的には、図８の下側の図に示したように、全体画像の左上側の位置に位置する部分画像１０３が投写されている状態で、ユーザが、図１１に示したように、操作部１２上を右側方向になぞったとする。なお、この場合、上述した移動量の算出は、部分画像同士における位置関係を把握することにより行われるとする。
【００５３】
図１１に示した方向に、操作部１２が操作されたとすると、ユーザは、イメージ的に、図１２の左側の図に示したように、全体画像１０１の左上側に位置する部分画像１０３を、部分画像１０３に対して右側に位置する部分画像１０４に切り換えたいと所望したときであると考えられる。
【００５４】
なお、この場合、移動量の算出は、部分画像同士における位置関係を把握することにより行われるので、操作部１２のどの部分が操作されたかは関係なく、操作された量（なぞられた長さ）が制御部３４において判断されることにより行われる。また、移動量が算出される際、操作部１２が操作された（なぞられた）方向もあわせて判断される。
【００５５】
このような操作が、ユーザにより操作部１２に対して行われると、ステップＳ１７において、移動の指示があったと判断され、ステップＳ１５に進み、この場合、部分画像１０４（図１２）に位置する画像の画像データが取得され、ステップＳ１６において、その取得された部分画像の画像データに基づく画像が、スクリーン７１上に投写される。投写される画像としては、例えば、図１３に示したような画像になる。
【００５６】
さらに、図１３に示したような部分画像が投写されている状態で、ユーザが、図１４に示すように、操作部１２を下側方向に、所望の移動量だけ操作した場合、すなわち、ユーザが、イメージ的に、図１５の左側の図に示したように、全体画像１０１の右上側に位置する部分画像１０４を、部分画像１０３に対して下側に位置する部分画像１０５、従って、全体画像１０１内においては右下側に位置する画像に切り換えたいと所望したと判断される。
【００５７】
その判断に基づき、上述した場合と同様な処理が実行されることにより、部分画像１０５に対応する画像が、スクリーン７１上に投写される。投写される画像としては、例えば、図１６に示したような画像になる。
【００５８】
このようにして、ユーザは、投写されている全体画像を、その一部分である部分画像に切り換えるという処理を、簡便な操作で行わせることが可能となる。また、投写されている部分画像の切り換えを、簡便な操作、すなわち、この場合、操作部１２を指でなぞる、または、押下するといった操作で行わせることが可能となる。
【００５９】
上述した実施の形態においては、画像処理装置１０を操作するユーザのみが、部分画像を投写させたり、投写される部分画像を他の部分画像に移動させたりといった操作が行えるとして説明した。次に、投写されている画像を、その画像を閲覧しているユーザ（画像処理装置１０を保持しているユーザ以外のユーザ）が操作できるようにする場合について説明する。
【００６０】
閲覧しているユーザが、投写されている画像を操作できるようにした場合、画像処理装置１０の外観の構成は、図１７に示したような構成となる。図１７に示した画像処理装置１２０の構成は、図１に示した画像処理装置１０の構成と比較し、センサ１２１を備えた構成とされ、他の部分は同様の構成とされている。このような構成とする場合、画像処理装置１２０を保持するユーザと、画像処理装置１２０から投写される画像を閲覧しているユーザとの、両方のユーザが、投写されている画像に対して操作が行える。
【００６１】
画像を閲覧しているユーザのみが、投写されている画像に対して操作できるようにする場合、図１８に示したような画像処理装置１３０の構成とすればよい。すなわち、図１８に示した画像処理装置１３０は、図１７に示した画像処理装置１２０と比較し、操作部１２を備えない構成とされており、他の部分は同様の構成とされている。
【００６２】
図１８に示した構成の画像処理装置１３０を用いた場合を例に挙げて説明する。図１８に示した画像処理装置１３０の内部構成例を、図１９に示す。図１９に示した画像処理装置１３０と、図４に示した画像処理装置１０を比較するに、画像処理装置１０に設けられていた操作部１２が、画像処理装置１３０ではセンサ１２１に置き換えられた構成とされており、他の部分は同様に構成されている。
【００６３】
センサ１２１は、画像を閲覧しているユーザ（以下、適宜、他のユーザと記述する）の動作を感知するために設けられている。このセンサ１２１は、他のユーザの動作、主に、他のユーザの手の動きを感知するために設けられているが、その感知の仕方は、どのような方式を用いても良い。
【００６４】
他のユーザの動作の感知は、例えば、画像処理により行うことが可能である。画像処理で、他のユーザの動作を感知するようにした場合、センサ１２１は、図２０に示すように、他のユーザを撮像するための撮像部１５１と、その撮像部１５１により撮像された画像を解析するための解析部１５２から構成される。撮像部１５１により撮像された画像には、投写されている画像（全体画像または部分画像）を含み、その上に、他のユーザの手の部分の画像が含まれる。
【００６５】
そのような画像から、解析部１５２は、他のユーザの手と判断される画像（位置）を抽出する。解析部１５２は、連続的に入力される撮像部１５１からの画像から他のユーザの手の部分を抽出し続けることにより、他のユーザの手の動き（位置の変化）を監視する。このような監視の結果は、制御部３４に供給される。
【００６６】
このように、画像から他のユーザの動作を判断するようにしても良いが、他のユーザの手の熱を感知し、その感知した熱の位置の移動を監視することにより、他のユーザの動作を検出するようにしても良い。このように他のユーザの手の熱を感知するようにした場合、撮像部１５１の代わりに、熱感知センサ（不図示）を用いてセンサ１２１を構成するようにすればよい。
【００６７】
このように、他のユーザの動作を、画像や熱などを用いて検出するようにした場合、他のユーザが複数のときには、どのユーザの手（動作）を検出するようにすればよいか、予め設定しておくなどの処理を行った方が良いことがある。そのような処理を不要とするために、予めどのユーザの指示に従うかを決められる仕組みを設けるようにしても良い。例えば、所定の周波数の信号を発する装置を用いるようにして行う。
【００６８】
このようにした場合、センサ１２１は、図２１に示すように、発信部１６１、受信部１６２、および、解析部１６３から構成される。発信部１６１は、ユーザの手の指などに装着可能な形状、例えば、指輪の形状にされており、所定の周波数で、信号を発信するように構成されている。発信部１６１からの信号は、受信部１６２により受信される。
【００６９】
受信部１６２により受信された信号は、解析部１６３に供給される。解析部１６３は、供給された信号を解析することにより、発信部１６１の位置を検出する。このようにすることで、発信部１６１を装着しているユーザ以外のユーザが、仮に、投写されている画像上で、手を動かしたとしても、その動きは、画像を操作するための動きとは判断されないことになる。すなわち、発信部１６１を装着しているユーザしか、画像に対する操作を行えないようにするための制御が行える。
【００７０】
このようなことを実現するには、ビーコンの技術などを転用することで可能となる。
【００７１】
図１９に示した内部構成を有する画像処理装置１３０の動作は、基本的に、図５に示したフローチャートの処理と同様に行われるので、再度、図５のフローチャートを参照して説明するが、上述した、画像処理装置１０と同様に行われる部部については、適宜、省略して説明する。
【００７２】
ステップＳ１１乃至Ｓ１３の処理は、画像処理装置１０と同様に行われる。すなわち、全体画像の投写までの処理は、画像処理装置１３０自体が操作されることにより、画像処理装置１３０を保持するユーザの指示に基づき行われる。ステップＳ１４における部分画像の投写の指示があったか否かの判断は、制御部３４（図１９）により行われるが、その判断は、センサ１２１から取得される情報に基づいて行われる。
【００７３】
例えば、予め手が２回左右に振られたら、部分画像の投写の開始又は終了を指示するものとして設定されていた場合、センサ１２１からの情報が、そのような状況を示しているか否かを判断することにより行われる。または、画像処理装置１３０自体に、部分画像の投写の開始又は終了を指示するためのボタン（不図示）を設け、そのボタンが操作されたか否かを判断することにより行われるようにしても良い。
【００７４】
部分画像の投写の指示があったと判断されたときの、ステップＳ１５とステップＳ１６における、それぞれの処理は、画像処理装置１０と同様に行われるので、その説明は省略する。ステップＳ１７において、移動の指示があったか否かが判断される。この判断は、センサ１２１から得られる情報に従って行われる。すなわち、他のユーザの指示に基づいて行われる。
【００７５】
例えば、図７に示したような部分画像がスクリーン７１上に投写されている状態で、他のユーザが、図２２に示すように、左上方向に手を移動させた場合、その移動は、センサ１２１により感知され、解析され、その解析結果が、制御部３４に供給される。このような他のユーザにより行われた動作の結果、制御部３４に供給される情報は、図７乃至図９を参照して説明した場合と同様な情報である。すなわち、画像処理装置１０の操作部１２に対して、図９に示したような操作が行われたときと同様の情報が、制御部３４に対して供給されることになる。
【００７６】
従って、その後の処理は、画像処理装置１０の場合と同様にして行われるので、その説明は省略する。
【００７７】
このようにして、他のユーザが投写されている画像に対して操作をできるようにすれば、例えば、画像処理装置１３０を固定しておき、その画像処理装置１３０を直接操作できる位置に他のユーザ（画像処理装置１３０を操作しているユーザ自身も含む）が位置していなくても、投写されている画像を操作することができ、使い勝手が向上し、使い方を広げることが可能となる。
【００７８】
図１７に示したように操作部１２とセンサ１２１の両方を備える画像処理装置１２０の内部の構成例を図２３に示す。図２３に示した画像処理装置１２０は、図４に示した画像処理装置１０と比較して、センサ１２１がさらに備えた構成とされており、そのセンサ１２１からの情報も、制御部３４に供給される構成とされている。
【００７９】
このような構成の画像処理装置１２０においては、制御部３４には、操作部１２からの情報と、センサ１２１からの情報が供給される。従って、制御部３４は、操作部１２からの情報に基づく処理と、センサ１２１からの情報に基づく処理とを、それぞれ実行する（同時に実行する）。
【００８０】
すなわち、図５のフローチャートを参照して説明するに、ステップＳ１４における部分画像の投写の指示があったか否かの判断、ステップＳ１７における移動の指示があったか否かの判断、および、ステップＳ１８における部分画像の投写の終了が指示されたか否かの判断は、操作部１２からの情報、又は、センサ１２１からの情報のうちの、少なくとも一方の情報に基づいて行われる。
【００８１】
このようにすれば、画像処理装置１２０を保持しているユーザと、その画像処理装置１２０から投写されている画像を閲覧している他のユーザの両方が、必要に応じ、投写されている画像に対して操作を行うことが可能となる。
【００８２】
上述した実施の形態においては、部分画像の移動について説明したが、投写されている画像自体をズームするといった処理についての説明はしていない。しかしながら、画像のズームといった処理を画像処理装置１０（１２０、または１３０）が行うことも可能である。そのようなズームといった機能を実現するための実施の形態について説明する。
【００８３】
なお、ここで、ズームとは、例えば、上述した全体画像が部分画像に切り換えられるような場合のことである。すなわち、全体画像の一部分が拡大されて投写されることをいう。また、部分画像の一部分がさらに拡大されて投写されることも、ズームと称する。その逆で、部分画像から全体画像に切り換えられる場合、縮小のズームである。
【００８４】
このような意味では、図５のステップＳ１２乃至Ｓ１６の処理として説明していることは、拡大のズームの処理の説明であるといえる。また、図５のステップＳ１８からステップＳ１２に戻る処理、すなわち、部分画像から全体画像に切り換えられる処理として説明していることは、縮小のズームの処理の説明であるといえる。
【００８５】
図１に示したような画像処理装置１０において、全体画像から部分画像へ、又は、部分画像から全体画像へ、それぞれズームされる以外のズームも実現させる場合を例に挙げて説明する。操作部１２に対してどのような操作が行われたときにズームの操作であるかということを、予め設定しておく必要がある。例えば、操作部１２の中央部分が、所定の回数（例えば、３回）だけ押下される、又は、所定の時間だけ押下されると、その後の、操作部１２に対する操作は、ズームに対する処理であるとして処理するように設定しておく。
【００８６】
そして、３回、操作部１２が押下された後（ズームのモードのとき）に、ユーザが、指で、操作部１２を上方向になぞったときには、画像の拡大の処理が実行され、下方向になぞったときには、画像の縮小の処理が実行されるように設定しておくことにより、ズームの機能を実現するようにしても良い。
【００８７】
このように、操作部１２だけで、ズームのモードと、部分画像の移動のモードとを切り換えられるようにしても良いが、そのようなモードを切り換えるためのボタンを設けるようにしても良い。例えば、図２４に示すように、画像処理装置１７０に、モード切り換え用のモード切り換えボタン１７１を設けるようにしても良い。このモード切り換えボタン１７１は、ズームのモードと、部分画像の移動のモードとを切り換えるときに操作される。
【００８８】
または、図２５に示すような操作部１２の構成としても良い。図２５に示した画像処理装置１８０の操作部１２には、まず、拡大のズームを指示するためのボタン１８１と縮小のズームを指示するためのボタン１８２が設けられている。そのボタン１８１とボタン１８２の間に、部分画像の移動を指示するためのスティック１８３が設けられている。このスティック１８３は、上下、左右、垂直方向に操作可能に構成されている、例えば、ジョイスティックやトラックボール（商標）などである。
【００８９】
このように、モードの切り換えを行うような操作を行うことなく、部分画像の移動などの処理とズームの処理が行えるような操作部１２を、画像処理装置に備えるようにしても良い。
【００９０】
ズームは、全体画像に対して行うことも可能であるし、部分画像に対して行うことも可能である。また、ズームされた画像に対して、移動を指示することも可能である。
【００９１】
上述した実施の形態では、操作部１２が操作されることにより、投写されている画像に変化が生じるようにした。他の実施の形態として、画像処理装置自体を傾けるなどしたときに、投写される画像が変化するようにしても良い。例えば、画像処理装置が下側に傾けられたときには、その時点で投写されている部分画像より下側に位置する部分画像が投写されるようにし、上側に傾けられたときには、その時点で投写されている部分画像より上側に位置する部分画像が投写されるようにする。
【００９２】
このように、画像処理装置自体の傾きを、例えば、ジャイロセンサや加速度センサにより検出し、その検出された傾きに応じた画像が投写されるようにしても良い。そのようにした場合、あたかも、１枚の画像の一部分を、懐中電灯などで照らしだしているような感覚をユーザに与えることが可能となる。
【００９３】
上述した実施の形態においては、記憶部３１（図４）から画像データが読み出されるとして説明をしたが、記憶部３１以外から画像データが読み出される（取得）されるようにしても良い。例えば、図２６に示すように、通信部２０１を備える画像処理装置２００のような構成としても良い。
【００９４】
通信部２０１は、他の装置と有線で接続され、その有線を介して、他の装置と通信を行うようにしても良い。テレビジョン放送などの放送を受信するような機能を有するようにしても良い。また、インターネットなどのネットワークに接続する機能を有していても良い。いずれにせよ、通信部２０１は、他の装置などから供給される画像データを画像データ展開部３２に供給する機能を有する。
【００９５】
このように通信部２０１を有する画像処理装置２００の用い方としては、例えば、通信部２０１と携帯電話（不図示）を接続させ、その携帯電話のディスプレイ上に表示されているテキストや画像などを、画像処理装置２００で投写させるということも可能となる。通常、携帯電話などのディスプレイは、小型であり、複数のユーザで同時に閲覧するには向いていないが、本実施の形態のような画像処理装置２００を用いることにより、複数のユーザで同時に閲覧するようなことも、容易に行うことが可能となる。
【００９６】
上述した実施の形態において、画像処理装置の構成は、一例にすぎず、限定を示すものではない。また、全体画像が部分画像に切り換えられるときや、画像のズームが指示されたときに、画素の補間などの処理が行われ、切り換えられる前後の画像で、その画像の粗さが変化しないような処理が施されるようにしても良い。そのような処理は、例えば、画像データ供給部３３において行うことが可能である。
【００９７】
上述した一連の処理、例えば、部分画像の移動などの処理は、それぞれの機能を有するハードウェアにより実行させることもできるが、ソフトウェアにより実行させることもできる。一連の処理をソフトウェアにより実行させる場合には、そのソフトウェアを構成するプログラムが専用のハードウェアに組み込まれているコンピュータ、または、各種のプログラムをインストールすることで、各種の機能を実行することが可能な、例えば汎用のパーソナルコンピュータなどに、記録媒体からインストールされる。
【００９８】
記録媒体について説明する前に、簡便に、記録媒体からのデータの読み出し、又は、書き込みを行うパーソナルコンピュータについて説明する。図２７は、汎用のパーソナルコンピュータの内部構成例を示す図である。パーソナルコンピュータのＣＰＵ（Ｃｅｎｔｒａｌ  Ｐｒｏｃｅｓｓｉｎｇ  Ｕｎｉｔ）３０１は、ＲＯＭ（Ｒｅａｄ  Ｏｎｌｙ  Ｍｅｍｏｒｙ）３０２に記憶されているプログラムに従って各種の処理を実行する。ＲＡＭ（Ｒａｎｄｏｍ  Ａｃｃｅｓｓ  Ｍｅｍｏｒｙ）３０３には、ＣＰＵ３０１が各種の処理を実行する上において必要なデータやプログラムなどが適宜記憶される。入出力インタフェース３０５は、キーボードやマウスから構成される入力部３０６が接続され、入力部３０６に入力された信号をＣＰＵ３０１に出力する。また、入出力インタフェース３０５には、ディスプレイやスピーカなどから構成される出力部７も接続されている。
【００９９】
さらに、入出力インタフェース３０５には、ハードディスクなどから構成される記憶部３０８、および、インターネットなどのネットワークを介して他の装置とデータの授受を行う通信部３０９も接続されている。ドライブ３１０は、磁気ディスク３２１、光ディスク３２２、光磁気ディスク３２３、半導体メモリ３２４などの記録媒体からデータを読み出したり、データを書き込んだりするときに用いられる。
【０１００】
記録媒体は、図２７に示すように、パーソナルコンピュータとは別に、ユーザにプログラムを提供するために配布される、プログラムが記録されている磁気ディスク３２１（フレキシブルディスクを含む）、光ディスク３２２（ＣＤ−ＲＯＭ（Ｃｏｍｐａｃｔ  Ｄｉｓｃ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｃ）を含む）、光磁気ディスク３２３（ＭＤ（Ｍｉｎｉ−Ｄｉｓｃ）（登録商標）を含む）、若しくは半導体メモリ３２４などよりなるパッケージメディアにより構成されるだけでなく、コンピュータに予め組み込まれた状態でユーザに提供される、プログラムが記憶されているＲＯＭ３０２や記憶部３０８が含まれるハードディスクなどで構成される。
【０１０１】
なお、本明細書において、媒体により提供されるプログラムを記述するステップは、記載された順序に従って、時系列的に行われる処理は勿論、必ずしも時系列的に処理されなくとも、並列的あるいは個別に実行される処理をも含むものである。
【０１０２】
また、本明細書において、システムとは、複数の装置により構成される装置全体を表すものである。
【０１０３】
【発明の効果】
本発明によれば、画像をスクリーンなどに投写することが可能となる。
【０１０４】
本発明によれば、投写される画像を、画像全体とすることも可能であるし、画像の内の一部分の画像とすることも可能である。その投写させる画像の指示は、簡便に行うことが可能である。
【０１０５】
本発明によれば、画像処理装置を保持しているユーザまたはその投写されている画像を閲覧しているユーザのうちの少なくとも一方が、その画像に対する操作を行うことが可能となる。
【図面の簡単な説明】
【図１】本発明を適用した画像処理装置の一実施の形態の外観の構成を示す図である。
【図２】画像処理装置の保持の仕方について説明する図である。
【図３】画像処理装置の画像の投写の仕方について説明する図である。
【図４】画像処理装置の内部構成例を示す図である。
【図５】画像処理装置の動作について説明するためのフローチャートである。
【図６】投写される画像の一例を示す図である。
【図７】投写される画像の一例を示す図である。
【図８】全体画像と部分画像について説明するための図である。
【図９】操作部に対する操作について説明するための図である。
【図１０】投写される画像の一例を示す図である。
【図１１】操作部に対する操作について説明するための図である。
【図１２】部分画像の移動について説明するための図である。
【図１３】投写される画像の一例を示す図である。
【図１４】操作部に対する操作について説明するための図である。
【図１５】部分画像の移動について説明するための図である。
【図１６】投写される画像の一例を示す図である。
【図１７】画像処理装置の他の外観の構成例を示す図である。
【図１８】画像処理装置のさらに他の外観の構成例を示す図である。
【図１９】画像処理装置の他の内部構成例を示す図である。
【図２０】センサの構成例を示す図である。
【図２１】センサの構成例を示す図である。
【図２２】他のユーザの動作について説明するための図である。
【図２３】画像処理装置の他の内部構成例を示す図である。
【図２４】画像処理装置の他の外観の構成例を示す図である。
【図２５】画像処理装置の他の外観の構成例を示す図である。
【図２６】画像処理装置の他の内部構成例を示す図である。
【図２７】媒体を説明する図である。
【符号の説明】
１０  画像処理装置，  １１  投写部，  １２  操作部，  ３１  記憶部，  ３２  画像データ展開部，  ３３  画像データ供給部，  ３４  制御部，  ３５表示制御部，  ４１  Ｄ／Ａ変換部，  ４２  ＬＣＤドライブ、  ４３  ＬＣＤ，  ４４  レンズ，  ４５  バックライトドライブ，  ４６  バックライト
【図１】
2004212817.tif 000003
【図２】
2004212817.tif 000004
【図３】
2004212817.tif 000005
【図４】
2004212817.tif 000006
【図５】
2004212817.tif 000007
【図６】
2004212817.tif 000008
【図７】
2004212817.tif 000009
【図８】
2004212817.tif 000010
【図９】
2004212817.tif 000011
【図１０】
2004212817.tif 000012
【図１１】
2004212817.tif 000013
【図１２】
2004212817.tif 000014
【図１３】
2004212817.tif 000015
【図１４】
2004212817.tif 000016
【図１５】
2004212817.tif 000017
【図１６】
2004212817.tif 000018
【図１７】
2004212817.tif 000019
【図１８】
2004212817.tif 000020
【図１９】
2004212817.tif 000021
【図２０】
2004212817.tif 000022
【図２１】
2004212817.tif 000023
【図２２】
2004212817.tif 000024
【図２３】
2004212817.tif 000025
【図２４】
2004212817.tif 000026
【図２５】
2004212817.tif 000027
【図２６】
2004212817.tif 000028
【図２７】
2004212817.tif 000029